(57)【要約】【課題】取外しの際に所定の角度に回転するだけで同極間の反発力によって確実に外れる装身具用連結金具を提供することを目的として開発したものである。【解決手段】片面のほぼ中央に軸ピンを形成した第１の金具と、第１の金具の該片面に理込まれ、Ｓ極とＮ極とが交互に配置された複数の磁石と、上記第１の金具に対向してその片面に前記軸ピンをはめ込む軸孔を形成した第２の金具と、第２の金具の該片面に理込まれ、異なる磁極が交互に配置された複数の磁石とを有し、第１および第２の金具をそれぞれ連結を要する部材の両端に取り付け、連結時には第１の金具と第２の金具に取り付けた複数の磁石が、異なる磁極が互いに対向するよう配置され、取外す際には前記軸ピンを中心に第１の金具と第２の金具とを回転させることにより、同じ磁極同士が接近して第１の金具と第２の金具とが簡単に取り外せるようにしたことを特徴とする装身具用連結金具。【選択図】図１
0003134460.tif 000002
【実用新案登録請求の範囲】
【請求項１】
片面のほぼ中央に軸ピンを形成した第１の金具と、第１の金具の該片面に理込まれ、Ｓ極とＮ極とが交互に配置された複数の磁石と、上記第１の金具に対向してその片面に前記軸ピンをはめ込む軸孔を形成した第２の金具と、第２の金具の該片面に理込まれ、異なる磁極が交互に配置された複数の磁石とを有し、第１および第２の金具をそれぞれ連結を要する部材の両端に取り付け、連結時には第１の金具と第２の金具に取り付けた複数の磁石が、異なる磁極が互いに対向するよう配置され、取外す際には前記軸ピンを中心に第１の金具と第２の金具とを回転させることにより、同じ磁極同士が接近して第１の金具と第２の金具とが簡単に取り外せるようにしたことを特徴とする装身具用連結金具。
【請求項２】
第１の金具と第２の金具とが、前記各片面に複数の磁石の表面を覆う平滑なカバーを取り付けてなる請求項１記載の装身具用連結金具。
【請求項３】
第１の金具と第２の金具とが、前記複数の磁石をおのおの取り付けた片面とは反対側の面に装飾部を形成してなる請求項１または２記載の装身具用連結金具。
【考案の詳細な説明】
【技術分野】
【０００１】
この考案は、ネックレスやペンダント等の装身具、バッグの蓋等を留めるために使用する装身具用連結金具に関するものである。
【背景技術】
【０００２】
従来、ネックレスやペンダント等の装身具を連結するために使用される金具としては、紐の両端に雄ネジ、雌ネジを取付けて結合するもののほか、一方の受け金具に窓を形成し、他方の金具に金属製のＶ字形バネを突設して、この窓にバネを通して両者をはめ合わせ、バネの弾性を利用して抜け止めするようにしたものが一般的である。
【０００３】
他方、磁石を用いた装身具用連結金具としては、特開昭６０−１４８５０４号公報（特許文献１参照）に記載されているように、使用の都度その向きを確認することなく、裏部材に吸着させる表部材の吸着時における方位を特定の方向に規制できるようにしたものがある。
また、特開平１−９０４１０号公報（特許文献２参照）に記載されているように、希土類磁石を多極平面着磁したことにより強力な磁場が得られ、また負荷がかかる方向には第１および第２の凹型金具の側面でその負荷を受け止めて、負荷がかかっても外れることがなく、また平面方向に回転するだけで簡単に取外せるようにした装身具用連結金具が知られている。
【０００４】
登録実用新案第３０５５４４６号公報（特許文献３参照）に記載されているように、一対の磁石保持体にそれぞれ複数個の磁石を設けた磁石付止め具を形成し、一方の磁石保持体の側面に設けた係止凸部Ａと、他方の磁石保持体の側面に設けた係止凹部Ｂとからなる回転防止体を設けるとともに、回転防止体の係止凸部Ａと係止凹部Ｂとを係合して磁石保持体相互の回転を防止して、使用者の意思に反して外れることがなく、簡単な操作で着脱できる止め具も知られている。
【０００５】
特開２００２−２１９０１２号公報（特許文献４参照）に記載されているように、装身具Ｎを着脱する留め具において、少なくとも接合部断面が非円形状の着脱自在な一対の留め具部品を備え、一方の第一留め具部品の接合部略中央には係合凸部を設けるとともに、この係合凸部の突出端側には案内用磁石を設け、前記他方の第二留め具部品の接合部略中央には前記係合凸部が回転自在に嵌合する係合凹部を設け、この第二留め具部品の係合凹部に隣接する接合部には第一留め具部品の対応する接合部（好ましくは吸着用磁石を設ける）に吸着し且つ前記案内用磁石に対して反発する吸着反発用磁石を設けたものがある。
この例では、留め具を取外す際に、一対の留め具部品を相対的に回転させた後に、両留め具部品を離反させるようにすれば、第一留め具部品の接合部に対して磁力による吸着影響の少ない位置に第二留め具部品の吸着反発用磁石を移動させた状態で、両留め具部品を簡単に取外すことができるものである。
【０００６】
登録実用新案第３０８１２４２号公報（特許文献５参照）に記載されているように、磁着力で連結する一対の留め具構成体に連結されたチェーンを緊張方向に引っ張って離脱用アームを整合させて分離することができる装身具用留め具であって、一対の留め具構成体が、相互に磁着した際にそれぞれの留め具構成体に連結されたチェーンを緊張方向に引っ張って突軸部を中心軸として旋回させ、前記チェーンを同一直線上に揃えた際に、この直線に対して補角をなすように突出する離脱用アームをそれぞれに設け、この一対の離脱用アームを相互に押しつけて磁力に抗して留め具構成体を分離するものも知られている。
【特許文献１】特開昭６０−１４８５０４号公報
【特許文献２】特開平１−９０４１０号公報
【特許文献３】登録実用新案第３０５５４４６号公報
【特許文献４】特開２００２−２１９０１２号公報
【特許文献５】登録実用新案第３０８１２４２号公報
【考案の開示】
【考案が解決しようとする課題】
【０００７】
上記各従来例において、平面方向に回転するだけで簡単に取外せるようにした装身具用連結金具として特許文献２，４があり、吸着時における方位を磁力によって特定の方向に規制できるようにした装身具用連結金具として特許文献１，２がある。
しかしながら、一対の金具を磁石で吸着させる際に所定の位置に無理なくセットすることができ、また磁力に応じて吸着する面が平滑であって取外しの際の回転がスムーズであって、誰でも簡単に取扱うことができる装身具用連結金具ではなかった。
【０００８】
この考案は従来例の以上の問題点を解消しようとするもので、異極間の磁力に応じて所定の向きに確実に吸着させることができ、また吸着する面が平滑であって取外しの際の回転がスムーズで、取外しの際に所定の角度に回転するだけで同極間の反発力によって確実に外れる装身具用連結金具を提供することを目的として開発されたものである。
【課題を解決するための手段】
【０００９】
すなわちこの考案の装身具用連結金具は、片面のほぼ中央に軸ピンを形成した第１の金具と、第１の金具の該片面に理込まれ、Ｓ極とＮ極とが交互に配置された複数の磁石と、上記第１の金具に対向してその片面に前記軸ピンをはめ込む軸孔を形成した第２の金具と、第２の金具の該片面に理込まれ、異なる磁極が交互に配置された複数の磁石とを有し、第１および第２の金具をそれぞれ連結を要する部材の両端に取り付け、連結時には第１の金具と第２の金具に取り付けた複数の磁石が、異なる磁極が互いに対向するよう配置され、取外す際には前記軸ピンを中心に第１の金具と第２の金具とを回転させることにより、同じ磁極同士が接近して第１の金具と第２の金具とが簡単に取り外せるようにしたことを特徴とするものである。
【００１０】
この考案の装身具用連結金具は、前記第１の金具と第２の金具とが、前記各片面に複数の磁石の表面を覆う平滑なカバーを取り付けられていることをも特徴とするものである。
【００１１】
この考案の装身具用連結金具は、前記第１の金具と第２の金具とが、前記複数の磁石をおのおの取り付けた片面とは反対側の面に装飾部を形成されていることをも特徴とするものである。
【考案の効果】
【００１２】
この考案は以上のように構成したので、異極間の磁力に応じて所定の向きに確実に吸着させることができ、また吸着する面が平滑であって取外しの際の回転がスムーズで、取外しの際に所定の角度に回転するだけで同極間の反発力によって確実に外れる装身具用連結金具を提供することができる。
【考案を実施するための最良の形態】
【００１３】
以下、この考案の装身具用連結金具の実施の形態を図面に基いて詳細に説明する。
図１はこの考案の装身具用連結金具の１実施例を示す平面図、図２はその側面図、図３はその斜視図、図４はカバーを組み付ける状態を示す斜視図、図５は組み付けた後の斜視図である。
また図６はこの考案の装身具用連結金具の他の実施例を示す正面図、図７はその拡大斜視図、図８は他の使用例を示す正面図、図９は組み付ける段階を示す側面図、図１０は組み付ける段階を示し、磁石を取り付ける前の拡大斜視図、図１１は磁石を取り付けた状態の拡大斜視図、図１２は下げ飾りの取り付け部分の拡大斜視図である。
図１３はこの考案の装身具用連結金具の別の実施例を示し、（ａ）は第１の金具の斜視図、（ｂ）はカバーを外した状態の斜視図、図１４は磁石を装着し、カバーを取り付ける状態を示す斜視図、図１５はカバーの斜視図、図１６（ａ）は第２の金具の斜視図、（ｂ）はカバーを外した状態の斜視図、図１７は磁石を装着し、カバーを取り付ける状態を示す斜視図、図１８はカバーの斜視図である。
図１９はこの考案の装身具用連結金具のさらに別の実施例を示し、（ａ）は第１の金具の斜視図、（ｂ）はカバーを外した状態の斜視図、図２０は磁石を装着し、カバーを取り付ける状態を示す斜視図、図２１はカバーの斜視図、図２２は第２の金具のカバーを外した状態の斜視図、図２３は磁石の取付部材を第２の金具に取り付ける状態を示す斜視図である。
【００１４】
図１ないし図５において、１１は、片面のほぼ中央に軸ピン１２を形成した第１の金具で、好ましくは貴金属で作製されている。そして、この金具１１にはＳ極１３とＮ極１４とが交互に配置された複数の希土類磁石Ｍが取り付けられている。この希土類磁石Ｍは、金具１１に所定の間隔で形成した凹孔１５に埋め込まれており、図では軸ピン１２の周囲に４つ、所定の間隔で配置されている。
２１は、片面のほぼ中央に軸孔２２を形成した第２の金具で、やはり貴金属で作製されている。そして、この金具２１にもＳ極２３とＮ極２４とが交互に配置された複数の希土類磁石Ｍが取り付けられている。この希土類磁石Ｍは、金具２１に所定の間隔で形成した凹孔２５に埋め込まれており、図では軸孔２２の周囲に４つ、所定の間隔で配置されている。
前記第１の金具１１と第２の金具２１の磁石Ｍを配置した平面の基端部には凹状の肉厚部２６が突設され、他方の円弧状をなす先端を受け入れるようになっている。したがって、前記第１の金具１１と第２の金具２１とを軸ピン１２を中心に相対的に回転する場合においても、無理なく回転させることができる。
２７は前記第１の金具１１と第２の金具２１の端部に取り付けたチェーンである。
【００１５】
また第１の金具１１と第２の金具２１の互いに当接する平面には、前記複数の磁石Ｍの表面を覆う平滑なカバー２８が接着剤や小ビス、ロー付け等で取り付けられており、後述の第１の金具１１と第２の金具２１とを回転操作する際に前記対向する磁石Ｍが引っ掛かって損傷したり、凹孔１５，２５から外れることのないようにしてある。なお、このカバー２８は磁石Ｍの磁力や、各金具１１，２１の小型化に影響することのない厚さとすることが望ましい。
【００１６】
前記第１の金具１１と第２の金具２１は、前記複数の磁石Ｍをおのおの取り付けた片面とは反対側の面に装飾部２０を形成してあり、金具１１，２１を連結した際に一定のモチーフの形状となるようなデザインを施しておくことが望ましい。この実施例では前記デザインとしてビーンズの形状に形成してある。
【００１７】
この実施例の装身具用連結金具に使用に際しては、第１の金具１１と第２の金具２１の複数の磁石Ｍが、異なる磁極（Ｓ極とＮ極）が互いに対向するよう配置されているので、第１の金具１１と第２の金具２１とは前記軸ピン１２を軸孔２２に差し込むだけで、前記異なる磁極となるよう配置した磁石Ｍが互いに吸着して強固に連結される。
取外す際には前記軸ピン１２を中心に第１の金具１１と第２の金具２１とを７０°回転させることにより、同じ磁極同士が接近して反発するので、第１の金具１１と第２の金具２１とを簡単に取り外せるようになっている。第１の金具１１と第２の金具２１とを７０°回転させるのは、装身具用連結金具がやや細長く形成されているためである。
【００１８】
図６ないし図１２に示す装身具用連結金具の実施例においても、第１の金具３１には磁石ＭがＳ極３３とＮ極３４とが交互になるよう配置してある。また第２の金具４１にも磁石ＭがＳ極４３とＮ極４４とが交互になるよう配置してある。そして、第１の金具３１と第２の金具４１において、互いに異なる磁極（Ｓ極とＮ極）が対向するよう配置してあるので、第１の金具３１と第２の金具４１は近づくだけで磁力によって吸着する。
なお、図では複数の磁石Ｍとして６つの磁石を、Ｓ極とＮ極が交互となるよう配置した場合について説明している。
【００１９】
前記磁石Ｍは図１０および図１１に示すように、第１の金具３１および第２の金具４１にそれぞれ所定の間隔で形成した凹孔３５，４５に埋め込まれており、第１の金具３１の軸ピン３２および第２の金具４１の軸孔４２の周囲にほぼ円形に配置されている。
第１の金具３１および第２の金具４１の側面には真珠等を用いた連珠３０が接続されている。第１の金具３１および第２の金具４１に連結に際しては、図６および図７のように装身具用連結金具を中心に連珠３０がＶ字形をなすよう組み付けたり、図８のように連珠３０が直線をなすよう組み付けることによって連結している。
【００２０】
したがって、連珠３０が直線をなすよう組み付けて装身具用連結金具をいわゆるクラスプとして首の後ろで連結する使用形態にも、連珠３０がＶ字形をなすよう組み付けて装身具用連結金具をペンダントヘッドのように使用する形態にも適用することができる。その場合には、複数の磁石Ｍの個数や取り付け位置によって適宜その角度を調整することができる。
図において５１は、下げ飾り５２を取り付けるための丸環であり、開閉可能な抜止め片５４を備えたフック５３を介して下げ飾り５２を装身具用連結金具から吊下げるようになっている。このような構造は、連珠３０をＶ字形をなすよう組み付けて装身具用連結金具をペンダントヘッドのように使用する形態において好適に使用することができる。
図において６１は第１の金具３１の表面に形成した装飾部で、特に装身具用連結金具をペンダントヘッドのように使用する形態に適用した場合に好適である。
【００２１】
この実施例の装身具用連結金具も、第１の金具３１と第２の金具４１の複数の磁石Ｍが、異なる磁極（Ｓ極とＮ極）が互いに対向するよう配置されているので、第１の金具３１と第２の金具４１とは前記軸ピン３２を軸孔４２に差し込むだけで、前記異なる磁極となるよう配置した磁石Ｍが互いに吸着して強固に連結される。
取外す際には前記軸ピン３２を中心に第１の金具３１と第２の金具４１とを６０°回転させることにより、同じ磁極同士が接近して反発するので、第１の金具３１と第２の金具４１とを簡単に取り外せるようになっている。
上記各実施例においては磁石Ｍを４つおよび６つの場合について説明したが、吸着および反発を可能とするものであればその個数は上記に限定されるものではない。
【００２２】
図１３ないし図１８に示すこの考案の装身具用連結金具の別の実施例において、７１は、片面のほぼ中央に軸ピン７２を形成した第１の金具である。そして、この金具７１は図１３（ａ），（ｂ）および図１４に示すように磁石Ｍを装着する取付部７３を第１の金具７１の上記軸ピン７２の周囲に一体的に取り付けてある。他方、磁石Ｍ上のカバー７４には第１の金具７１のチェーン７５側の端部に他方の金具の先端を受け止める肉厚部７６が形成されている。この肉厚部７６は図１５に示すように、その裏面側に軽量化のための空洞７７が形成されている。
第１の金具７１において、前記取付部７３にはＳ極７８とＮ極７９とが交互に配置された複数の希土類磁石Ｍが取り付けられている。図では軸ピン７２の周囲に４つ、所定の間隔で配置されている。
【００２３】
図１６（ａ），（ｂ）および図１７において８１は、片面のほぼ中央に軸孔８２を形成した第２の金具である。そして、この金具８１にもＳ極８３とＮ極８４とが交互に配置された複数の希土類磁石Ｍが取り付けられている。この希土類磁石Ｍは、金具８１に所定の間隔で形成した取付部８５に埋め込まれており、図では軸孔８２の周囲に４つ、所定の間隔で配置されている。
第２の金具８１においても、磁石Ｍ上のカバー８６には、第２の金具８１のチェーン８７側の端部に他方の金具の先端を受け止める肉厚部８８が形成されている。この肉厚部８８は図１８に示すように、その裏面側に軽量化のための空洞８９が形成されている。
【００２４】
前記第１の金具７１と第２の金具７１の磁石Ｍを配置した平面の基端部には、上述のように凹状の肉厚部７６，８８が突設され、他方の円弧状をなす先端を受け入れるようになっている。したがって、前記第１の金具７１と第２の金具８１とを軸ピン７２を中心に相対的に回転する場合においても、無理なく回転させることができる。
【００２５】
図１９ないし図２３に示すこの考案の装身具用連結金具のさらに別の実施例において、９１は、片面のほぼ中央に軸ピン９２を形成した第１の金具である。そして、この金具９１は図１９（ａ），（ｂ）および図２０に示すように磁石Ｍを装着する取付部９３を第１の金具９１の上記軸ピン９２の周囲に一体的に取り付けてある。他方、第１の金具９１のチェーン９４側の端部には他方の金具の先端を受け止める肉厚部９５が形成されている。この肉厚部９５は軽量化のための空洞９６を備えている。また、磁石Ｍ上のカバー９７には前記肉厚部９５の開口部を閉鎖する蓋部９８が形成されている。
第１の金具９１において、前記取付部９３にはＳ極９９とＮ極１００とが交互に配置された複数の希土類磁石Ｍが取り付けられている。図では軸ピン９２の周囲に４つ、所定の間隔で配置されている。
【００２６】
図２２および図２３において１０１は、片面のほぼ中央に軸孔１０２を形成した第２の金具である。そして、この金具１０１にもＳ極１０３とＮ極１０４とが交互に配置された複数の希土類磁石Ｍが取り付けられている。この希土類磁石Ｍは、金具１０１とは別個に設けた、複数の磁石Ｍを所定の間隔で収納する取付部材１０５に埋め込まれており、図では軸孔１０２の周囲に４つ、所定の間隔で配置されている。他方、第２の金具１０１のチェーン９４側の端部には他方の金具の先端を受け止める肉厚部１０６が形成されている。この肉厚部１０６は軽量化のための空洞１０７を備えている。
【００２７】
前記第１の金具９１と第２の金具１０１の磁石Ｍを配置した平面の基端部には、上述のように凹状の肉厚部９５，１０６が突設され、他方の円弧状をなす先端を受け入れるようになっている。したがって、前記第１の金具９１と第２の金具１０１とを軸ピン９２を中心に相対的に回転する場合においても、無理なく回転させることができる。
【産業上の利用可能性】
【００２８】
なおこの考案の装身具用連結金具は、上記ネックレスやペンダント、ブレスレット等の装身具や、バッグの蓋のみならず、婦人用のショーツや婦人服の止め金具、ブラジャーのフロントホック等の、広範な用途に使用することができるものである。
【図面の簡単な説明】
【００２９】
【図１】この考案の装身具用連結金具の１実施例を示す平面図である。
【図２】その側面図である。
【図３】その斜視図である。
【図４】カバーを組み付ける状態を示す斜視図である。
【図５】組み付けた後の斜視図である。
【図６】この考案の装身具用連結金具の他の実施例を示す正面図である。
【図７】その拡大斜視図である。
【図８】他の使用例を示す正面図である。
【図９】組み付ける段階を示す側面図である。
【図１０】組み付ける段階を示し、磁石を取り付ける前の拡大斜視図である。
【図１１】磁石を取り付けた状態の拡大斜視図である。
【図１２】下げ飾りの取り付け部分の拡大斜視図である。
【図１３】この考案の装身具用連結金具の別の実施例を示し、（ａ）は第１の金具の斜視図、（ｂ）はカバーを外した状態の斜視図である。
【図１４】磁石を装着し、カバーを取り付ける状態を示す斜視図である。
【図１５】カバーの斜視図である。
【図１６】（ａ）は第２の金具の斜視図、（ｂ）はカバーを外した状態の斜視図である。
【図１７】磁石を装着し、カバーを取り付ける状態を示す斜視図である。
【図１８】カバーの斜視図である。である。
【図１９】この考案の装身具用連結金具のさらに別の実施例を示し、（ａ）は第１の金具の斜視図、（ｂ）はカバーを外した状態の斜視図である。
【図２０】磁石を装着し、カバーを取り付ける状態を示す斜視図である。
【図２１】カバーの斜視図である。
【図２２】第２の金具のカバーを外した状態の斜視図である。
【図２３】磁石の取付部材を第２の金具に取り付ける状態を示す斜視図である。
【符号の説明】
【００３０】
１１  第１の金具
１２  軸ピン
１３  Ｓ極
１４  Ｎ極
１５  凹孔
２０  装飾部
２１  第２の金具
２２  軸孔
２３  Ｓ極
２４  Ｎ極
２５  凹孔
２６  肉厚部
２７  チェーン
２８  カバー
３０  連珠
３１  第１の金具
３２  軸ピン
３３  Ｓ極
３４  Ｎ極
３５  凹孔
４１  第２の金具
４２  軸孔
４３  Ｓ極
４４  Ｎ極
４５  凹孔
５１  丸環
５２  下げ飾り
５３  フック
５４  抜止め片
６１  装飾部
７１  第１の金具
７２  軸ピン
７３  取付部
７４  カバー
７５  チェーン
７６  肉厚部
７７  空洞
７８  Ｓ極
７９  Ｎ極
８１  第２の金具
８２  軸孔
８３  Ｓ極
８４  Ｎ極
８５  取付部
８６  カバー
８７  チェーン
８８  肉厚部
８９  空洞
９１  第１の金具
９２  軸ピン
９３  取付部
９４  チェーン
９５  肉厚部
９６  空洞
９７  カバー
９８  蓋部
９９  Ｓ極
１００  Ｎ極
１０１  第２の金具
１０２  軸孔
１０３  Ｓ極
１０４  Ｎ極
１０５  取付部材
１０６  肉厚部
１０７  空洞
Ｍ  磁石
【図１】
0003134460.tif 000003
【図２】
0003134460.tif 000004
【図３】
0003134460.tif 000005
【図４】
0003134460.tif 000006
【図５】
0003134460.tif 000007
【図６】
0003134460.tif 000008
【図７】
0003134460.tif 000009
【図８】
0003134460.tif 000010
【図９】
0003134460.tif 000011
【図１０】
0003134460.tif 000012
【図１１】
0003134460.tif 000013
【図１２】
0003134460.tif 000014
【図１３】
0003134460.tif 000015
【図１４】
0003134460.tif 000016
【図１５】
0003134460.tif 000017
【図１６】
0003134460.tif 000018
【図１７】
0003134460.tif 000019
【図１８】
0003134460.tif 000020
【図１９】
0003134460.tif 000021
【図２０】
0003134460.tif 000022
【図２１】
0003134460.tif 000023
【図２２】
0003134460.tif 000024
【図２３】
0003134460.tif 000025